(57)【特許請求の範囲】
【請求項１】
透液性の表面シートと、不透液性の裏面シートと、前記表面シートと前記裏面シートとの間に介装される吸収体と、を備える吸収性物品において、
装着時に、装着者の脚周りに位置する二つの脚周り部と、
当該吸収性物品における腹側部と背側部の間に設けられる股下部と、
前記脚周り部に各々に、当該吸収性物品の長手方向に沿って２つずつ設けられると共に略台形の頂点に配置され、前記表面シート側が摘まれて肌当接面側に凸となる内側摘み部と、
前記股下部であって前記略台形の内側に設けられ、前記裏面シート側が摘まれて外面側に凸となる外側摘み部と、
を備えることを特徴とする吸収性物品。
【請求項２】
前記内側摘み部が設けられる位置と前記外側摘み部が設けられる位置とに、弾性部材が配置され、
前記弾性部材は、各々伸張状態で固定され、伸長状態で固定された当該弾性部材の収縮により前記内側摘み部と前記外側摘み部とが形成されることを特徴とする請求項１に記載の吸収性物品。
【請求項３】
透液性の表面シートと、不透液性の裏面シートと、前記表面シートと前記裏面シートとの間に介装される吸収体と、を備える吸収性物品において、
装着時に、装着者の脚周りに位置する二つの脚周り部と、
当該吸収性物品における腹側部と背側部の間に設けられる股下部と、
前記脚周り部に各々配置された弾性部材が伸張状態で固定され、伸張状態で固定された当該弾性部材の収縮により前記表面シート側が摘まれて肌当接面側に凸となるように形成される内側摘み部と、
前記股下部に配置された弾性部材が伸張状態で固定され、伸張状態で固定された当該弾性部材の収縮により前記裏面シート側が摘まれて外面側に凸となるように形成される外側摘み部と、
を備えることを特徴とする吸収性物品。
【請求項４】
前記外側摘み部を、当該吸収性物品の幅方向に沿って複数備えることを特徴とする請求項１〜３の何れか一項に記載の吸収性物品。
【請求項５】
前記内側摘み部は、前記表面シート側から当該吸収性物品の全体を折り曲げるように摘まれて形成され、前記外側摘み部は、前記裏面シート側から当該吸収性物品の全体を折り曲げるように摘まれて形成されていることを特徴とする請求項１〜４の何れか一項に記載の吸収性物品。
【請求項６】
前記内側摘み部は、前記表面シート側が摘まれた反対面側において接着され、前記外側摘み部は、前記裏面シート側が摘まれた反対面側において接着されていることを特徴とする請求項１〜５の何れか一項に記載の吸収性物品。
【請求項７】
前記吸収体における前記内側摘み部同士を結ぶ線、前記吸収体における前記外側摘み部同士を結ぶ線又は前記吸収体における前記内側摘み部と前記外側摘み部とを結ぶ線のうちの何れか一又は複数の線上に、スリットが設けられていることを特徴とする請求項１〜６の何れか一項に記載の吸収性物品。
【請求項８】
前記股下部に設けられ、前記表面シート側が摘まれて内面側に凸となる第二内側摘み部を備えることを特徴とする請求項１〜７の何れか一項に記載の吸収性物品。
【発明の詳細な説明】
【技術分野】
【０００１】
本発明は、吸収性物品に関する。
【背景技術】
【０００２】
従来、使い捨ての紙おむつや尿取りパッド、生理用ナプキン等の吸収性物品として、トップシートとバックシートの間に吸収体を介在させて成るものが知られている。そして、例えば、紙おむつを下腹部に着用することによって、失禁により排出された尿などの体液をその紙おむつに備えられた吸収体に吸収させることができる。
このような吸収性物品において、その吸収性物品の一部分が立体的に摘まれて、摘み部が形成されたものが知られている（例えば、特許文献１参照）。
【特許文献１】特開２００７−９８０３７号公報
【発明の開示】
【発明が解決しようとする課題】
【０００３】
しかしながら、上記特許文献１における摘み部は、装着者が吸収性物品を装着する際の中心位置を示す目印となって、その吸収性物品の装着ずれを防ぐためのものに過ぎず、装着者の脚周りからの体液漏れを防ぐ効果や、人体へのフィット性や装着感を向上させる効果を得ることはできなかった。
【０００４】
本発明の目的は、装着者の脚周りからの体液漏れを防止するとともに、人体へのフィット性や装着感を向上させることができる吸収性物品を提供することである。
【課題を解決するための手段】
【０００５】
以上の課題を解決するため、請求項１に記載の発明は、透液性の表面シートと、不透液性の裏面シートと、前記表面シートと前記裏面シートとの間に介装される吸収体と、を備える吸収性物品において、
装着時に、装着者の脚周りに位置する二つの脚周り部と、
当該吸収性物品における腹側部と背側部の間に設けられる股下部と、
前記脚周り部に各々に、当該吸収性物品の長手方向に沿って２つずつ設けられると共に略台形の頂点に配置され、前記表面シート側が摘まれて肌当接面側に凸となる内側摘み部と、
前記股下部であって前記略台形の内側に設けられ、前記裏面シート側が摘まれて外面側に凸となる外側摘み部と、
を備えることを特徴とする。
【０００６】
請求項２に記載の発明は、請求項１に記載の吸収性物品において、前記内側摘み部が設けられる位置と前記外側摘み部が設けられる位置とに、弾性部材が配置され、
前記弾性部材は、各々伸張状態で固定され、伸長状態で固定された当該弾性部材の収縮により前記内側摘み部と前記外側摘み部とが形成されることを特徴とする。
【０００７】
請求項３に記載の発明は、透液性の表面シートと、不透液性の裏面シートと、前記表面シートと前記裏面シートとの間に介装される吸収体と、を備える吸収性物品において、
装着時に、装着者の脚周りに位置する二つの脚周り部と、
当該吸収性物品における腹側部と背側部の間に設けられる股下部と、
前記脚周り部に各々配置された弾性部材が伸張状態で固定され、伸張状態で固定された当該弾性部材の収縮により前記表面シート側が摘まれて肌当接面側に凸となるように形成される内側摘み部と、
前記股下部に配置された弾性部材が伸張状態で固定され、伸張状態で固定された当該弾性部材の収縮により前記裏面シート側が摘まれて外面側に凸となるように形成される外側摘み部と、
を備えることを特徴とする。
【０００８】
請求項４に記載の発明は、請求項１〜３の何れか一項に記載の吸収性物品において、前記外側摘み部を、当該吸収性物品の幅方向に沿って複数備えることを特徴とする。
【０００９】
請求項５に記載の発明は、請求項１〜４の何れか一項に記載の吸収性物品において、前記内側摘み部は、前記表面シート側から当該吸収性物品の全体を折り曲げるように摘まれて形成され、前記外側摘み部は、前記裏面シート側から当該吸収性物品の全体を折り曲げるように摘まれて形成されていることを特徴とする。
【００１０】
請求項６に記載の発明は、請求項１〜５の何れか一項に記載の吸収性物品において、前記内側摘み部は、前記表面シート側が摘まれた反対面側において接着され、前記外側摘み部は、前記裏面シート側が摘まれた反対面側において接着されていることを特徴とする。
【００１１】
請求項７に記載の発明は、請求項１〜６の何れか一項に記載の吸収性物品において、前記吸収体における前記内側摘み部同士を結ぶ線、前記吸収体における前記外側摘み部同士を結ぶ線又は前記吸収体における前記内側摘み部と前記外側摘み部とを結ぶ線のうちの何れか一又は複数の線上に、スリットが設けられていることを特徴とする。
【００１２】
請求項８に記載の発明は、請求項１〜７の何れか一項に記載の吸収性物品において、前記股下部に設けられ、前記表面シート側が摘まれて内面側に凸となる第二内側摘み部を備えることを特徴とする。
【発明の効果】
【００１３】
本発明によれば、吸収性物品は、装着時に装着者の脚周りに位置する二つの脚周り部の各々に内側摘み部を備え、腹側部と背側部の間に設けられる股下部に外側摘み部を備えているため、内側摘み部と外側摘み部とにより立体形状が形成され、この立体形状が吸収性物品を着用する装着者の人体の膨らみや凹みに沿ってフィットすることとなる。したがって、装着者の脚周りからの体液漏れを防止することができるとともに、吸収性物品の人体へのフィット性が向上することとなる。
また、この吸収性物品は、二つの脚周り部の各々に、肌当接面側に凸となる内側摘み部を備えているため、脚周り部が装着者の肌に対して突出することとなり、体液が脚周り部から外側に漏れるのを防いで、吸収性物品の防漏性がより向上することとなる。さらに、この吸収性物品は、股下部に、外面側に凸となる外側摘み部を備えているため、体液が吸収性物品の股下部の方向へ移動しやすくなり、体液漏れの防止効果を更に高めることができる。
【発明を実施するための最良の形態】
【００１４】
以下、本発明の実施の形態を図面に基づいて説明する。
【００１５】
（実施形態１）
まず、本発明の実施形態１について、図１〜図４に基づいて説明する。本実施形態１では、吸収性物品として、使い捨て紙おむつなどの内部に備えて使用するインナーパッドを一例として説明する。
【００１６】
図１は、実施形態１におけるインナーパッド１の内面側の平面図である。図２は、実施形態１におけるインナーパッド１の内面側の斜視図であり、図３は、実施形態１におけるインナーパッド１の外面側の斜視図である。図４（ａ）は、図２のＡ−Ａ線における断面図であり、図４（ｂ）は、図２のＢ−Ｂ線における断面図であり、図４（ｃ）は、図２のＣ−Ｃ線における断面図であり、図４（ｄ）は、図２のＤ−Ｄ線における断面図である。
【００１７】
インナーパッド１は、図１〜図４に示すように、人体との接触面側に設けられ、尿などの体液を速やかに透過させる透液性の表面シート１１と、人体との接触面と反対側に設けられる、不透液性の裏面シート１２と、これら表面シート１１と裏面シート１２との間に介装される吸収体１３等を備えて構成されている。
このインナーパッド１においては、人体の股部を腹側から背側にかけて覆うように、一方の端部に腹側部１４が形成され、他方の端部に背側部１５が形成されている。また、腹側部１４と背側部１５との間の幅方向Ｘ中央領域は股下部１６となっており、股下部１６の左右両側の領域は、インナーパッド１の装着時に、装着者の脚周りに位置することとなる脚周り部１７となっている。
【００１８】
また、このインナーパッド１における２つの脚周り部１７の各々には、長手方向Ｙに沿って複数（例えば、２つ）の内側摘み部１８が設けられている。また、インナーパッド１における股下部１６には、一又は複数（例えば、１つ）の外側摘み部１９が設けられている。
そして、これらの内側摘み部１８と外側摘み部１９とによって、インナーパッド１を着用する装着者の人体に沿う立体形状を呈する装着部１０が形成されている。
【００１９】
表面シート１１は、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
表面シート１１に多数の透孔を形成した場合には、体液がより速やかに吸収されるようになり、ドライタッチ性に優れたものとなる。
【００２０】
裏面シート１２は、ポリエチレン等の少なくとも遮水性を有するシート材により形成されている。また、ムレ防止の観点から透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
そして、図４に示すように、この裏面シート１２の幅方向Ｘの端部は、それぞれ裏面シート１２の内側へ向けて折り返されて、表面シート１１を挟み込むようになっている。この裏面シート１２が折り返された部分に、ホットメルトなどの接着剤からなる接着剤層（図示省略）が設けられており、折り返された裏面シート１２と表面シート１１とが接着されている。
【００２１】
吸収体１３は、インナーパッド１の使用時に、体液としての尿等の水様成分を吸収するものであり、綿やパルプ等の吸収性素材や、高吸水性樹脂（ＳＡＰ；Super Absorbent Polymer）や、繊維或いはフィルム等のシート状基材とを組み合わせて形成される。
吸収体１３は、インナーパッド１の腹側部１４側から背側部１５側に亘る長さに形成され、この吸収体１３の長手方向Ｙの中央側は、吸収体１３の長手方向Ｙの両端部の幅より狭く形成されている。つまり、吸収体１３の略中央部である股下部１６に相当する部分は、吸収体１３の長手方向Ｙの両端部である腹側部１４や背側部１５に相当する部分より、幅が狭く形成されて、砂時計様の形状を呈している。
この吸収体１３における略中央部である股下部１６に相当する部分の幅を、その長手方向Ｙの両端部に比べて狭く形成することにより、インナーパッド１を人体に装着した際に、人体の股下（そけい部）に対して吸収体１３がフィットしやすくなっている。
【００２２】
内側摘み部１８は、表面シート１１側が摘まれて、インナーパッド１の装着時に内側になる肌当接面側に凸となる立体部であって、このインナーパッド１の全体（具体的には、表面シート１１と吸収体１３と裏面シート１２の３層）が表面シート１１側から折り曲げられるように摘まれて形成されている。
これらの内側摘み部１８は、表面シート１１側が摘まれた反対面側において、折り曲げられて対向する配置となった裏面シート１２同士が接着剤や熱融着などによって接着されて、その形状が保持されるようになっている。
これらの内側摘み部１８は、インナーパッド１の装着時に装着者の脚周りに位置する２つの脚周り部１７における腹側部１４寄りの位置に、長手方向Ｙの中心線Ｃに対して線対称となるよう、長手方向Ｙに沿って各々２つずつ設けられ、略台形の頂点の配置となっている。
【００２３】
外側摘み部１９は、裏面シート１２側が摘まれて、インナーパッド１の装着時に外側になる外面側に凸となる立体部であって、このインナーパッド１の全体（具体的には、裏面シート１２と吸収体１３と表面シート１１の３層）が裏面シート１２側から折り曲げられるように摘まれて形成されている。
この外側摘み部１９は、裏面シート１２側が摘まれた反対面側において、折り曲げられて対向する配置となった表面シート１１同士が接着剤や熱融着などによって接着されて、その形状が保持されるようになっている。
この外側摘み部１９は、股下部１６における幅方向Ｘ略中間部に配置されており、上述した４つの内側摘み部１８により形成される略台形の内側に位置している。
【００２４】
装着部１０は、４つの内側摘み部１８と１つの外側摘み部１９とによる凹凸や折目が組み合わされてなる立体形状を成しており、この装着部１０は、図４（ｂ）に示すように、表面シート１１から裏面シート１２に向かってくぼんだ形状を有している。そして、装着部１０は、装着者の人体の膨らみや凹みに沿う立体形状に形成されているので、インナーパッド１が人体に好適にフィットするようになっている。
【００２５】
また、図１に示すように、吸収体１３において、内側摘み部１８同士を結ぶ線、外側摘み部１９同士を結ぶ線、内側摘み部１８と外側摘み部１９とを結ぶ線のうちの何れか一又は複数（例えば、８つ）の線上に、スリット１３ａが設けられている。
これらのスリット１３ａは、装着部１０を形成するための折目に沿って設けられているため、インナーパッド１を装着する際に、インナーパッド１をスリット１３ａ上の折目に沿って容易に変形させることができ、人体の膨らみや凹みに対応する装着部１０を容易に形成することができる。したがって、インナーパッド１の人体への装着を容易に行うことができ、また、インナーパッド１の人体へのフィット性が向上する。
【００２６】
また、この装着部１０は、体液（例えば、尿）が排出される箇所（例えば、尿道口の近傍）に形成されており、排出された体液が吸収体１３に吸収されるまでの一時的な溜め場となる体液ポケットとして機能し、インナーパッド１における体液漏れを防止することが可能になっている。
【００２７】
以上のように、実施形態１のインナーパッド１は、装着時に装着者の脚周りに位置する二つの脚周り部１７の各々に内側摘み部１８を備え、腹側部１４と背側部１５の間に設けられる股下部１６に外側摘み部１９を備えているため、内側摘み部１８と外側摘み部１９とにより立体形状が形成され、この立体形状がインナーパッド１を着用する装着者の人体の膨らみや凹みに沿ってフィットすることとなる。したがって、装着者の脚周りからの体液漏れを防止することができるとともに、インナーパッド１の人体へのフィット性が向上することとなる。
また、このインナーパッド１は、二つの脚周り部１７の各々に、肌当接面側に凸となる内側摘み部１８を備えているため、脚周り部１７が装着者の肌に対して突出することとなり、体液が脚周り部１７から外側に漏れるのを防いで、インナーパッド１の防漏性がより向上することとなる。さらに、このインナーパッド１は、股下部１６に、外面側に凸となる外側摘み部１９を備えているため、体液がインナーパッド１の股下部１６の方向へ移動しやすくなり、体液漏れの防止効果を更に高めることができる。
【００２８】
また、内側摘み部１８は、脚周り部１７の各々に、当該インナーパッド１の長手方向Ｙに沿って複数（例えば、２つ）備わるため、インナーパッド１の人体へのフィット性が更に向上することとなる。
【００２９】
また、内側摘み部１８は、表面シート１１側から当該インナーパッド１の全体を折り曲げるように摘まれて形成され、外側摘み部１９は、裏面シート１２側から当該インナーパッド１の全体を折り曲げるように摘まれて形成されているため、内側摘み部１８と外側摘み部１９とからなる立体形状は、その内側摘み部１８と外側摘み部１９や、それらに応じた折目に沿って曲がり易くなっており、インナーパッド１を装着する際にその折目などに沿って曲がるなどして、人体の膨らみや凹みに対応して変形し易くなっている。そのため、インナーパッド１の人体へのフィット性が良好になり、体液漏れを効果的に防ぐことができる。
【００３０】
また、内側摘み部１８は、表面シート１１側が摘まれた反対面側において接着され、外側摘み部１９は、裏面シート１２側が摘まれた反対面側において接着されているため、内側摘み部１８及び外側摘み部１９の形状を容易に保持することができる。
【００３１】
さらに、インナーパッド１における内側摘み部１８同士を結ぶ線、外側摘み部１９同士を結ぶ線又は内側摘み部１８と外側摘み部１９とを結ぶ線のうちの何れか一又は複数（例えば、８つ）の線上に、スリット１３ａが設けられている。そのため、インナーパッド１がスリット１３ａに沿って曲がり易くなっており、内側摘み部１８と外側摘み部１９とからなる立体形状を容易に形成することができる。
【００３２】
（変形例）
次に、実施形態１のインナーパッドの変形例について説明する。
変形例のインナーパッドでは、図５（ａ）に示すように、内側摘み部１８が設けられる位置に糸ゴム等の弾性部材１８ａが配置されている。また、図５（ｂ）に示すように、外側摘み部１９が設けられる位置に糸ゴム等の弾性部材１９ａが配置されている。具体的には、これらの弾性部材１８ａ、１９ａは、吸収体１３の内側に、内部摘み部１８及び外側摘み部１９の摘み方向（例えば、幅方向）に沿って伸張状態で固定されている。そして、これらの弾性部材１８ａ、１９ａが収縮することにより、表面シート１１及び吸収体１３が肌当接面側に折れ曲がるとともに、裏面シート１２及び吸収体１３が外面側に折り曲がり、内側摘み部１８と外側摘み部１９とが形成される。
なお、弾性部材１８ａ、１９ａの配置位置は吸収体１３内に限られることなく、例えば、吸収体１３の表面に弾性部材１８ａ、１９ａを配置しても良い。また、表面シート１１と吸収体１３、吸収体１３と裏面シート１２が接着されて一体となっている場合には、表面シート１１の表面と裏面シート１２の表面とに、弾性部材１８ａ、１９ａを配置しても良い。また、表面シート１１側又は裏面シート１２側から弾性部材１８ａ、１９ａを吸収体１３に貫通させるように配置し、表面シート１１又は裏面シート１２に弾性部材１８ａ、１９ａの両端部を固定することにより、内側摘み部１８と外側摘み部１９とを形成しても良い。
【００３３】
このように、本変形例におけるインナーパッドでは、内側摘み部１８が設けられる位置と外側摘み部１９が設けられる位置とに、弾性部材１８ａ、１９ａを各々伸張状態で固定し、弾性部材１８ａ、１９ａの収縮により内側摘み部１８と外側摘み部１９とを形成する。したがって、内側摘み部１８及び外側摘み部１９とを容易に形成することができることとなって、簡易な構成で人体へのフィット性が良好なインナーパッドを提供することができる。また、内側摘み部１８が形成された位置の裏面シート１２同士と外側摘み部１９が形成された位置の表面シート１１同士とを接着剤により接着することなく、内側摘み部１８と外側摘み部１９の形状を保持することが可能となり、製造工程の短縮化を図ることができる。
【００３４】
（実施形態２）
次に、本発明の実施形態２について、図６〜図８に基づいて説明する。本実施形態２では、上記実施形態１と同様に、吸収性物品として、使い捨て紙おむつなどの内部に備えて使用するインナーパッドを一例として説明する。
なお、以下の説明において上記実施形態と同一部分には同じ符号を付し、説明を省略する。
【００３５】
図６は、実施形態２におけるインナーパッド２の背面側の平面図である。図７は、実施形態２におけるインナーパッド２の内面側の斜視図であり、図８は、実施形態２におけるインナーパッド２の外面側の斜視図である。
【００３６】
インナーパッド２は、図６〜図８に示すように、２つの脚周り部１７の各々に、一又は複数（例えば、２つ）の内側摘み部としての第１内側摘み部２１が設けられている。また、インナーパッド２における股下部１６には、一又は複数（例えば、１つ）の第２内側摘み部２２と、一又は複数（例えば、１つ）の外側摘み部２３とが設けられている。
そして、これら第１内側摘み部２１と第２内側摘み部２２と外側摘み部２３とによって、インナーパッド２を着用する装着者の人体に沿う立体形状を呈する装着部２０が形成されている。
【００３７】
第１内側摘み部２１は、インナーパッド２の装着時に装着者の脚周りに位置する２つの脚周り部１７における腹側部１４寄りの位置に、長手方向Ｙの中心線Ｃに対して線対称となるよう、各々２つずつ設けられ、略台形の頂点の配置となっている。
また、第２内側摘み部２２は、インナーパッド２の腹側部１４と背側部１５の間の股下部１６における幅方向Ｘ略中間部に設けられている。
これら第１内側摘み部２１及び第２内側摘み部２２は、表面シート１１側が摘まれて、インナーパッド２の装着時に内側になる肌当接面側に凸となる立体部であって、このインナーパッド２の全体（具体的には、表面シート１１と吸収体１３と裏面シート１２の３層）が表面シート１１側から折り曲げられるように摘まれて形成されている。また、第１内側摘み部２１及び第２内側摘み部２２は、表面シート１１側が摘まれた反対面側において、折り曲げられて対向する配置となった裏面シート１２同士が接着剤や熱融着などによって接着されて、その形状が保持されるようになっている。
【００３８】
また、外側摘み部２３は、股下部１６における幅方向Ｘ略中央領域に、同じく股下部１６に設けられた第２内側摘み部２２とインナーパッド２の長手方向Ｙに並ぶようにして配置されており、４つの第１内側摘み部２１により形成される略台形の内側に位置している。
【００３９】
そして、装着部２０は、４つの第１内側摘み部２１と１つの第２内側摘み部２２と１つの外側摘み部２３とによる凹凸や折目が組み合わされてなる立体形状であって、装着者の人体の膨らみや凹みに沿う立体形状に形成されており、表面シート１１から裏面シート１２に向かってくぼんだ形状を有している。
【００４０】
特に、この装着部２０は、インナーパッド２における股下部１６から腹側部１４側であって、インナーパッド２を着用した装着者の所定位置としての男性器を収容する位置に形成されている。つまり、装着部２０は、人体おける男性器の膨らみや厚みを考慮した立体形状に形成されており、装着部２０におけるくぼみに男性器をフィットさせるように収容することが可能になっている。
また、この装着部２０は、インナーパッド２における股下部１６から腹側部１４側であって、体液（例えば、尿）が排出される箇所（例えば、尿道口の近傍）に形成されている窪みであるので、排出された体液が吸収体１３に吸収されるまでの一時的な溜め場となる体液ポケットとして機能し、インナーパッド２からの体液漏れを防止することができる。
【００４１】
また、図６に示すように、吸収体１３において、第１内側摘み部２１同士を結ぶ線、外側摘み部２３同士を結ぶ線、第１内側摘み部２１と外側摘み部２３とを結ぶ線、第２内側摘み部２２同士を結ぶ線、第１内側摘み部２１と第２内側摘み部２２とを結ぶ線又は第２内側摘み部２２と外側摘み部２３とを結ぶ線のうちの何れか一又は複数（具体的には、７つ）の線上に、スリット１３ｂが設けられている。
これらのスリット１３ｂは、装着部２０を形成するための折目に沿って設けられているため、インナーパッド２を装着する際に、インナーパッド２をスリット１３ｂ上の折目に沿って容易に変形することができ、人体の膨らみや凹みに対応する装着部２０を容易に形成することができる。したがって、インナーパッド２の人体への装着を容易に行うことができ、また、インナーパッド２の人体へのフィット性が向上する。
【００４２】
以上のように、実施形態２のインナーパッド２は、装着時に装着者の脚周りに位置する二つの脚周り部１７の各々に第１内側摘み部２１を備え、腹側部１４と背側部１５の間に設けられる股下部１６に外側摘み部２３を備えているため、第１内側摘み部２１と外側摘み部２３とにより立体形状が形成され、この立体形状がインナーパッド２を着用する装着者の人体の膨らみや凹みに沿ってフィットすることとなる。したがって、装着者の脚周りからの体液漏れを防止することができるとともに、インナーパッド２の人体へのフィット性が向上することとなる。
また、このインナーパッド２は、二つの脚周り部１７の各々に、肌当接面側に凸となる第１内側摘み部２１を備えているため、脚周り部１７が装着者の肌に対して突出することとなり、体液が脚周り部１７から外側に漏れるのを防いで、インナーパッド２の防漏性がより向上することとなる。さらに、このインナーパッド２は、股下部１６に、外面側に凸となる外側摘み部２３を備えているため、体液がインナーパッド２の股下部１６の方向へ移動しやすくなり、体液漏れの防止効果を更に高めることができる。
【００４３】
また、このインナーパッド２は、脚周り部１７の各々に、当該インナーパッド２の長手方向Ｙに沿って複数（例えば、２つ）の第１内側摘み部２１を備え、股下部１６に、表面シート１１側が摘まれて内面側に凸となる第２内側摘み部２２を備えているため、インナーパッド２の人体へのフィット性が更に向上することとなる。
【００４４】
また、第１内側摘み部２１及び第２内側摘み部２２は、表面シート１１側から当該インナーパッド２の全体を折り曲げるように摘まれて形成され、外側摘み部２３は、裏面シート１２側から当該インナーパッド２の全体を折り曲げるように摘まれて形成されているため、第１内側摘み部２１と第２内側摘み部２２と外側摘み部２３とからなる立体形状は、その第１内側摘み部２１と第２内側摘み部２２と外側摘み部２３や、それらに応じた折目に沿って曲がり易くなっており、インナーパッド２を装着する際にその折目などに沿って曲がるなどして、人体の膨らみや凹みに対応して変形し易くなっている。そのため、インナーパッド２の人体へのフィット性が良好になり、体液漏れを効果的に防ぐことができる。
【００４５】
また、第１内側摘み部２１及び第２内側摘み部２２は、表面シート１１側が摘まれた反対面側において接着され、外側摘み部２３は、裏面シート１２側が摘まれた反対面側において接着されているため、第１内側摘み部２１、第２内側摘み部２２及び外側摘み部２３の形状が容易且つ確実に保持されることとなる。
【００４６】
さらに、インナーパッド２における第１内側摘み部２１同士を結ぶ線、外側摘み部２３同士を結ぶ線、第１内側摘み部２１と外側摘み部２３とを結ぶ線、第２内側摘み部２２同士を結ぶ線、第１内側摘み部２１と第２内側摘み部２２とを結ぶ線又は第２内側摘み部２２と外側摘み部２３とを結ぶ線のうちの何れか一又は複数（例えば、７つ）の線上に、スリット１３ｂが設けられている。そのため、インナーパッド２がスリット１３ｂに沿って曲がり易くなっており、第１内側摘み部２１と第２内側摘み部２２と外側摘み部２３とからなる立体形状を容易に形成することができる。
【００４７】
（実施形態３）
次に、本発明の実施形態３について、図９〜図１１に基づいて説明する。本実施形態３では、上記各実施形態と同様に、吸収性物品として、使い捨て紙おむつなどの内部に備えて使用するインナーパッドを一例として説明する。
なお、以下の説明において上記各実施形態と同一部分には同じ符号を付し、説明を省略する。
【００４８】
図９は、実施形態３におけるインナーパッド３の内面側の平面図である。図１０は、実施形態３におけるインナーパッド３の内面側の斜視図であり、図１１は、実施形態３におけるインナーパッド３の外面側の斜視図である。
【００４９】
インナーパッド３は、図９〜図１１に示すように、２つの脚周り部１７の各々に、長手方向Ｙに沿って複数（例えば、２つ）の内側摘み部３１が設けられている。また、インナーパッド３における股下部１６には、幅方向Ｘに沿って、複数（例えば、２つ）の外側摘み部３２が設けられている。
そして、これらの内側摘み部３１と外側摘み部３２とによって、インナーパッド３を着用する装着者の人体に沿う立体形状を呈する装着部３０が形成されている。
【００５０】
内側摘み部３１は、インナーパッド３の装着時に装着者の脚周りに位置する２つの脚周り部１７における腹側部１４寄りの位置に、長手方向Ｙの中心線Ｃに対して線対称となるよう、各々２つずつ設けられ、略台形の頂点の配置となっている。
【００５１】
また、外側摘み部３２は、股下部１６における幅方向Ｘ略中央領域に、インナーパッド３の幅方向Ｘに並ぶようにして配置されており、４つの内側摘み部３１により形成される略台形の内側に位置している。
【００５２】
そして、装着部３０は、４つの内側摘み部３１と２つの外側摘み部３２とによる凹凸や折目が組み合わされてなる立体形状であって、装着者の人体の膨らみや凹みに沿う立体形状に形成されており、表面シート１１から裏面シート１２に向かってくぼんだ形状を有している。
また、この装着部３０は、体液（例えば、尿）が排出される箇所（例えば、尿道口の近傍）に形成されており、排出された体液が吸収体１３に吸収されるまでの一時的な溜め場となる体液ポケットとして機能し、インナーパッド３における体液漏れを防止することが可能になっている。
【００５３】
また、図９に示すように、吸収体１３において、内側摘み部３１同士を結ぶ線、外側摘み部３２同士を結ぶ線、内側摘み部３１と外側摘み部３２とを結ぶ線のうちの何れか一又は複数（例えば、９つ）の線上に、スリット１３ｃが設けられている。
これらのスリット１３ｃは、装着部３０を形成するための折目に沿って設けられているため、インナーパッド３を装着する際に、インナーパッド３をスリット１３ｃ上の折目に沿って容易に変形することができ、人体の膨らみや凹みに対応する装着部３０を容易に形成することができる。したがって、インナーパッド３の人体への装着を容易に行うことができ、また、インナーパッド３の人体へのフィット性が向上する。
【００５４】
以上のように、実施形態３のインナーパッド３は、装着時に装着者の脚周りに位置する二つの脚周り部１７の各々に内側摘み部３１を備え、腹側部１４と背側部１５の間に設けられる股下部１６に外側摘み部３２を備えているため、内側摘み部３１と外側摘み部３２とにより立体形状が形成され、この立体形状がインナーパッド３を着用する装着者の人体の膨らみや凹みに沿ってフィットすることとなる。したがって、装着者の脚周りからの体液漏れを防止することができるとともに、インナーパッド３の人体へのフィット性が向上することとなる。
また、このインナーパッド３は、二つの脚周り部１７の各々に、肌当接面側に凸となる内側摘み部３１を備えているため、脚周り部１７が装着者の肌に対して突出することとなり、体液が脚周り部１７から外側に漏れるのを防いで、インナーパッド３の防漏性がより向上することとなる。さらに、このインナーパッド３は、股下部１６に、外面側に凸となる外側摘み部３２を備えているため、体液がインナーパッド３の股下部１６の方向へ移動しやすくなり、体液漏れの防止効果を更に高めることができる。
【００５５】
また、このインナーパッド３は、脚周り部１７の各々に、当該インナーパッド３の長手方向Ｙに沿って複数（例えば、２つ）の内側摘み部３１を備え、股下部１６に、外側摘み部３２を、インナーパッド３の幅方向Ｘに沿って複数（例えば、２つ）備えるため、インナーパッド３の人体へのフィット性が更に向上することとなる。
【００５６】
また、内側摘み部３１は、表面シート１１側から当該インナーパッド３の全体を折り曲げるように摘まれて形成され、外側摘み部３２は、裏面シート１２側から当該インナーパッド３の全体を折り曲げるように摘まれて形成されているため、内側摘み部３１と外側摘み部３２とからなる立体形状は、その内側摘み部３１と外側摘み部３２や、それらに応じた折目に沿って曲がり易くなっており、インナーパッド３を装着する際にその折目などに沿って曲がるなどして、人体の膨らみや凹みに対応して変形し易くなっている。そのため、インナーパッド３の人体へのフィット性が良好になり、体液漏れを効果的に防ぐことができる。
【００５７】
また、内側摘み部３１は、表面シート１１側が摘まれた反対面側において接着され、外側摘み部３２は、裏面シート１２側が摘まれた反対面側において接着されているため、内側摘み部３１及び外側摘み部３２の形状が容易且つ確実に保持されることとなる。
【００５８】
さらに、インナーパッド３における内側摘み部３１同士を結ぶ線、外側摘み部３２同士を結ぶ線又は内側摘み部３１と外側摘み部３２とを結ぶ線のうちの何れか一又は複数（例えば、９つ）の線上に、スリット１３ｃが設けられている。そのため、インナーパッド３がスリット１３ｃに沿って曲がり易くなっており、内側摘み部３１と外側摘み部３２とからなる立体形状を容易に形成することができる。
【００５９】
なお、上記の各実施形態では、内側摘み部１８、３１、第１内側摘み部２１、第２内側摘み部２２、外側摘み部１９、２３、３２は、インナーパッド１、２、３の全体である、表面シート１１と吸収体１３と裏面シート１２の３層を折り曲げるように摘んで形成されるとしたが、本発明はこれに限定されるものではなく、例えば、内側摘み部１８、３１、第１内側摘み部２１、第２内側摘み部２２を、表面シート１１のみや、表面シート１１と吸収体１３とを折り曲げるように摘んで形成してもよく、また、外側摘み部１９、２３、３２を、裏面シート１２のみや、裏面シート１２と吸収体１３とを折り曲げるように摘んで形成してもよい。
【００６０】
また、表面シート１１と吸収体１３との間に嵩高なセカンドシートを介在させ、このセカンドシートを、表面シート１１、吸収体１３、裏面シート１２等とともに折り曲げるように摘んで内側摘み部１８、３１、第１内側摘み部２１、第２内側摘み部２２、外側摘み部１９、２３、３２を構成しても良い。これにより、内側摘み部１８、３１、第１内側摘み部２１、第２内側摘み部２２、外側摘み部１９、２３、３２、及び、これらの摘み部により形成される装着部１０、２０、３０の折れ曲がりの形状が更に保持しやすくなる。
また、装着部１０、２０、３０を形成するための折目に沿って、表面シート１１と吸収体１３、裏面シート１２と吸収体１３を接着するためのホットメルト等の接着剤が塗布されない非塗布部を設けても良い。これにより、折目に沿ってインナーパッドが更に折れ曲がりやすくなるとともに、装着部１０、２０、３０の立体形状が保持しやすくなる。
【００６１】
また、内側摘み部１８、３１、第１内側摘み部２１、第２内側摘み部２２、外側摘み部１９、２３、３２、及び、これらの摘み部により形成される装着部１０、２０、３０の折れ曲がりの形状を更に保持し易くするため、摘み部を設ける層（例えば、表面シート１１、吸収体１３、裏面シート１２等）に嵩高い素材を用いてコシを持たせるといった方法や、これらの素材の目付けを高くすることによりコシを持たせるといった方法を適宜用いることができる。また、素材同士を接着する接着剤の塗布パターンを、スパイラルの代わりにベタにするなどして、接着剤の目付けを高くすることにより、素材にコシを持たせて、折れ曲がりの形状を保持し易くしても良い。
【００６２】
また、インナーパッド１、２、３において、装着部１０、２０、３０を形成するための折目に沿って、表面シート１１と吸収体１３と裏面シート１２とを接着するためのホットメルト等の接着剤が塗布されない非塗布部（図示省略）を設けても良い。これにより、折目に沿ってインナーパッド１、２、３が折れ曲がりやすくなり、装着部１０、２０、３０の立体形状の形成が容易となる。
【００６３】
また、変形例のように、表面シート１１と吸収体１３との間又は裏面シート１２と吸収体１３との間に弾性部材１８ａ、１９ａを設ける場合であっても、内側摘み部１８が形成された位置の裏面シート１２同士と外側摘み部１９が形成された位置の表面シート１１同士とを接着剤により接着しても良い。
【００６４】
また、内側摘み部１８、３１、第１内側摘み部２１、第２内側摘み部２２、外側摘み部１９、２３、３２の数や配置や個々の大きさ等は任意であって、所望する装着部の形状やサイズに応じて、適宜調整して形成すればよい。例えば、上記各実施形態では脚周り部１７の各々に内側摘み部が２つずつ設けられる場合について説明したが、脚周り部１７の各々に内側摘み部を１つずつ設けても良く、また、３つ以上ずつ設けても良い。
【００６５】
また、その他、具体的な細部構造等についても適宜に変更可能であることは勿論である。
【図面の簡単な説明】
【００６６】
【図１】実施形態１におけるインナーパッドの内面側平面図である。
【図２】実施形態１におけるインナーパッドの内面側斜視図である。
【図３】実施形態１におけるインナーパッドの外面側斜視図である。
【図４】図４（ａ）は、図２のＡ−Ａ線における断面図であり、図４（ｂ）は、図２のＢ−Ｂ線における断面図であり、図４（ｃ）は、図２のＣ−Ｃ線における断面図であり、図４（ｄ）は、図２のＤ−Ｄ線における断面図である。
【図５】図５は、実施形態１のインナーパッドの変形例であって、図５（ａ）は、図２のＣ−Ｃ線における断面図であり、図５（ｂ）は、図２のＤ−Ｄ線における断面図である。
【図６】実施形態２におけるインナーパッドの背面側平面図である。
【図７】実施形態２におけるインナーパッドの内面側斜視図である。
【図８】実施形態２におけるインナーパッドの外面側斜視図である。
【図９】実施形態３におけるインナーパッドの内面側平面図である。
【図１０】実施形態３におけるインナーパッドの内面側斜視図である。
【図１１】実施形態３におけるインナーパッドの外面側斜視図である。
【符号の説明】
【００６７】
１              インナーパッド（吸収性物品）
１１            表面シート
１２            裏面シート
１３            吸収体
１３ａ          スリット
１４            腹側部
１５            背側部
１６            股下部
１７            脚周り部
１８            内側摘み部
１９            外側摘み部
１８ａ、１９ａ  弾性部材
２              インナーパッド（吸収性物品）
１３ｂ          スリット
２１            第１内側摘み部（内側摘み部）
２２            第２内側摘み部
２３            外側摘み部
３              インナーパッド（吸収性物品）
１３ｃ          スリット
３１            内側摘み部
３２            外側摘み部
【図１】
0005221170.tif 000002
【図２】
0005221170.tif 000003
【図３】
0005221170.tif 000004
【図４】
0005221170.tif 000005
【図５】
0005221170.tif 000006
【図６】
0005221170.tif 000007
【図７】
0005221170.tif 000008
【図８】
0005221170.tif 000009
【図９】
0005221170.tif 000010
【図１０】
0005221170.tif 000011
【図１１】
0005221170.tif 000012